(57)【要約】【課題】ケーシング形状をコンパクトに構成することが可能なデシカント空調機を提供する。【解決手段】減湿側流路及び加湿側流路が形成されたケーシング２、デシカントロータ８、顕熱交換器９、減湿側ファン１５、加湿側ファン１６を備えたデシカント空調機１において、ケーシング２内部を、角部（Ｃ１，Ｃ３）側の第一区画と、角部（Ｃ２，Ｃ４）側の第二区画とに気密状態に区画する区画壁７を備え、デシカントロータ８、顕熱交換器９は、第一区画内に並べて収納され、減湿側ファン１５、加湿側ファン１６は、第二区画内に並べて収納された構成とする。【選択図】図１
2008101848.tif 000002
【特許請求の範囲】
【請求項１】
減湿側空気が流れる減湿側流路、及び加湿側空気が流れる加湿側流路が形成された平面視で方形状乃至矩形状のケーシングと、
前記減湿側流路及び前記加湿側流路の両方を横断するように配設され、前記減湿側空気中からの吸湿と前記加湿側空気への放湿とを行うデシカントロータと、
前記減湿側流路及び前記加湿側流路の中途に設けられ、内部で減湿側流路と加湿側流路とが交差するとともに、前記減湿側空気と前記加湿側空気との間で熱交換を行う顕熱交換器と、
前記減湿側流路内の減湿側空気を流通させる減湿側ファンと、
前記加湿側流路内の加湿側空気を流通させる加湿側ファンと、
を備えたデシカント空調機において、
前記減湿側流路の吸気口は、前記ケーシングの一方の角部（Ｃ１）近傍の一側面（Ｓ１）に形成され、前記減湿側流路の排気口は、前記角部（Ｃ１）と対角位置にある角部（Ｃ２）近傍の前記側面（Ｓ１）に対向する側面（Ｓ２）に形成されており、
前記加湿側流路の吸気口は、前記側面（Ｓ２）の前記角部（Ｃ２）と反対側の角部（Ｃ３）近傍に形成され、前記加湿側流路の排気口は、前記側面（Ｓ１）の前記角部（Ｃ１）と反対側の角部（Ｃ４）近傍に形成されており、
前記ケーシング内部を、前記角部（Ｃ１）及び前記角部（Ｃ３）の側の第一区画と、前記角部（Ｃ２）及び前記角部（Ｃ４）の側の第二区画とに気密状態に区画する区画壁を備え、
前記デシカントロータ及び前記顕熱交換器は、前記減湿側流路の吸気口側から前記加湿側流路の吸気口側に向かって、この順で前記第一区画内に並べて収納されており、
前記減湿側ファン及び前記加湿側ファンは、前記減湿側流路の排気口側から前記加湿側流路の排気口側に向かって、この順で前記第二区画内に並べて収納されており、
前記減湿側ファンの吸入口は前記区画壁を貫通して前記第一区画に連通し、吐出口は前記減湿側流路の排気口に接続されており、
前記加湿側ファンの吸入口は前記区画壁を貫通して前記第一区画に連通し、吐出口は前記加湿側流路の排気口に接続されていることを特徴とするデシカント空調機。
【請求項２】
前記第一区画内には、前記加湿側流路の前記顕熱交換器の出口に再生用ヒータが配設されており、
前記再生用ヒータに接続され、給熱用の熱媒が循環する一対の再生用ヒータ接続管と、
前記区画壁の両側が気密となるようにシールした状態で前記区画壁を貫通して固定され、前記各接続管と接続された一対の内部ジョイントと、
前記第二区画のケーシング側壁に設置された一対の外部ジョイントと、
一方の前記内部ジョイントと一方の外部ジョイント、及び他方の前記内部ジョイントと他方の外部ジョイントとに接続されており、給熱用の熱媒が循環する一対の第二区画内接続管と、
を備えたことを特徴とする請求項１記載のデシカント空調機。
【請求項３】
前記第一区画内には、前記減湿側流路の前記デシカントロータの入口側に、調温用ヒータが配設されており、
前記調温用ヒータに接続され、給熱用の熱媒が循環する一対の調温用ヒータ接続管と、
前記区画壁の両側が気密となるようにシールした状態で前記区画壁を貫通して固定され、前記各接続管と接続された一対の内部ジョイントと、
前記第二区画のケーシング側壁に設置された一対の外部ジョイントと、
一方の前記内部ジョイントと一方の外部ジョイント、及び他方の前記内部ジョイントと他方の外部ジョイントとに接続されており、給熱用の熱媒が循環する一対の第二区画内接続管と、
を備えたことを特徴とする請求項１又は２記載のデシカント空調機。
【請求項４】
前記内部ジョイントに、熱動弁が用いられていることを特徴とする請求項２又は３記載のデシカント空調機。
【請求項５】
前記デシカントロータを回転駆動する駆動モータを備え、前記駆動モータは、前記減湿側流路の吸気口から前記デシカントロータにかけての前記減湿側流路内の何れかの場所に設置されていることを特徴とする請求項１乃至４の何れか一に記載のデシカント空調機。
【発明の詳細な説明】
【技術分野】
【０００１】
本発明は、デシカントロータを使用して吸着方式により除湿を行うデシカント空調機（Desiccant Air Conditioner）に関し、特に、コンパクトで室内への設置が容易なデシカント空調機に関する。
【背景技術】
【０００２】
近年、省エネルギー政策の推進に伴って、室内空調における設定温度の高温化が求められるようになってきている。また、健康上の理由等によって、室内への外気の積極的な導入が求められている。特に、日本のように夏場に高温多湿となる地域においては、空調温度の上昇に伴い室内の湿度が上昇するため、湿度制御が不可欠となる。
【０００３】
温度制御とともに湿度制御を効率的に行う空調機としては、従来からデシカント空調機が使用されてきた。デシカント空調機とは、シリカゲルやゼオライト粉末等の乾燥剤（デシカント（desiccant））が担持されたハニカム構造のデシカントロータを備え、このデシカントロータに湿気を吸着させることで除湿を行う吸着方式の除湿器である（非特許文献１，２参照）。
【０００４】
デシカント空調機では、デシカントロータに湿気を吸着するのみでは、吸着熱により給気温度が高くなる。そこで、除湿を行う減湿側空気とデシカントロータの乾燥剤を乾燥させて再生するための再生空気（加湿側空気）との間で熱交換を行うための顕熱交換器を備えたデシカント空調機が開発されている。
【０００５】
図３は、デシカント空調機の内部構造の概念図である（非特許文献２，図３参照）。デシカント空調機１００のケーシング１０１の内部には、減湿側空気が流れる減湿側流路１０２と再生空気（加湿側空気）が流れる加湿側流路１０３とが形成されている。減湿側流路１０２及び加湿側流路１０３に跨って、デシカントロータ１０４と熱交換ロータ（回転再生式熱交換器）１０５が配設されている。デシカントロータ１０４及び熱交換ロータ１０５は、ギヤードモータ（図示せず）によりゆっくりした一定の速度で回転される。デシカントロータ１０４は、ケーシング１０１と耐熱シール構造により処理ゾーン１０４ａと再生ゾーン１０４ｂとに分離されている。処理ゾーン１０４ａは減湿側流路１０２内の部分をいい、再生ゾーン１０４ｂは加湿側流路１０３内の部分をいう。
【０００６】
減湿側流路１０２と加湿側流路１０３とは、反対方向に空気が流通する。減湿側流路１０２内には、入口側から、フィルタ１０６，デシカントロータ１０４，熱交換ロータ１０５，冷却コイル１０７，及び減湿側ファン１０８がこの順で設けられている。また、加湿側流路１０３内には、入口側から、フィルタ１０９，熱交換ロータ１０５，ヒータ１１０，デシカントロータ１０４，及び加湿側ファン１１１がこの順で設けられている。
【０００７】
減湿側ファン１０８により、外気（又は還気）が減湿側空気として減湿側流路１０２を流通し、室内に給気される。減湿側流路１０２内に減湿側空気として吸入された外気ＯＡは、フィルタ１０６を通過した後、デシカントロータ１０４の処理ゾーン１０４ａを通過する。この際、減湿側空気に含まれる湿気は、デシカントロータ１０４に担持された乾燥剤に吸着されて除去される。このとき、吸着熱が発生するため、減湿側空気の温度が上昇する。次に、減湿側空気は、熱交換ロータ１０５を通過する。この際、減湿側空気は熱交換ロータ１０５と熱交換して冷却される。更に、減湿側空気は冷却コイル１０７を通過して適温まで冷却された後、減湿側ファン１０８を通過して室内に給気される。
【０００８】
一方、加湿側流路１０３には、加湿側ファン１１１により室内空気が加湿側空気として流通され、室外に排気される。加湿側流路１０３内に加湿側空気として吸入された室内空気ＲＡは、フィルタ１０９を通過した後、熱交換ロータ１０５を通過する。この際、加湿側空気は、減湿側空気により与熱された熱交換ロータ１０５と熱交換して加熱され、逆に熱交換ロータ１０５は冷却される。次に、加湿側空気は、ヒータ１１０を通過した後にデシカントロータ１０４の再生ゾーン１０４ｂを通過する。ヒータ１１０において、加湿側空気は更に加熱される。そして、デシカントロータ１０４にこの加熱された加湿側空気を通過させることにより、デシカントロータ１０４に吸着した湿気は脱離し、加湿側空気に放出される。そして、加湿側空気は湿気とともに加湿側ファン１１１を通過して外気ＯＡに放出される。このようにして、除湿された外気ＯＡが室内に給気される。
【０００９】
また、回転再生式熱交換器の代わりに静止型熱交換器を使用したデシカント空調機も、数多く開発されている（例えば、特許文献１，２参照）。
【００１０】
図４は、特許文献１に記載のデシカント空調機１２０の内部構造を示す正面図である。このデシカント空調機１２０は、ケーシング１２１の表面右下部分に減湿側吸込口１２２、裏面左上部分に減湿側吹出口１２３、裏面右上部分に加湿側吸込口１２４、表面左下部分に加湿側吹出口１２５が形成されている。また、ケーシング１２１の内部には、縦隔壁１２６、横隔壁１２７，１２８、フィルタ１２９，１３０、デシカントロータ１３１、駆動モータ１３２、駆動ワイヤ１３３、顕熱交換器１３４、減湿側ファン１３５、ヒータ１３６、加湿側ファン１３７、通気パイプ１３８、及びダンパ１３９が設けられている。
【００１１】
デシカントロータ１３１は、駆動モータ１３２及び駆動ワイヤ１３３からなるベルト駆動機構によりゆっくりと一定速度で回転される。顕熱交換器１３４は、クロスフロー型の静止型熱交換器である。
【００１２】
外気ＯＡは、減湿側ファン１３５によって減湿側吸込口１２２からフィルタ１３０を通して吸引される。次いで、デシカントロータ１３１の右側部分を通過して除湿・昇温される。そして、顕熱交換器１３４において降温された後、減湿側吹出口１２３から室内に吹き出される。
【００１３】
一方、室内空気ＲＡは、加湿側ファン１３７によって加湿側吸込口１２４からフィルタ１２９を通して吸引される。次いで、顕熱交換器１３４において昇温され、ヒータ１３６により更に昇温される。次いで、デシカントロータ１３１の左側部分を通過して、デシカントロータ１３１の乾燥剤に吸着した湿気を脱離させ、加湿・降温される。そして、加湿側ファン１３７を通過して加湿側吹出口１２５から室外に吹き出される。
【００１４】
このデシカント空調機１２０は、減湿側ファン１３５及び加湿側ファン１３７と、デシカントロータ１３１と、顕熱交換器１３４とがケーシング１２１内に縦列されており、ケーシング１２１の形状は縦長形状となる。
【００１５】
図５は、特許文献２に記載のデシカント空調機１４０の内部構造を示す斜視図である。このデシカント空調機１４０は、縦長矩形のケーシング１４１の内部に縦隔壁１４２及び横隔壁１４３，１４４が設けられている。横隔壁１４３，１４４の間の中央空間には上下隔壁１４５が設けられており、この中央空間では、縦隔壁１４２は上下隔壁１４５の上側空間のみを区画する。これらの隔壁により、ケーシング１４１の内部は７つの区域（Ａ〜Ｇ）に区画されている。左側の前後２つの区域（Ｆ，Ｃ）には、それぞれ減湿側ファン１４６，加湿側ファン１４７が配設されている。また、中央部の４つの区域のうち、上部の２区域（Ｂ，Ｅ）には、縦隔壁１４２を跨いでデシカントロータ１４８が設けられており、中央上部前側の区域（Ｅ）には、デシカントロータ１４８の下側にヒータ１４９が設けられている。また、中央下部の区域（Ｇ）には、顕熱交換器１５０が配設されている。
【００１６】
外気ＯＡは、減湿側ファン１４６により誘起される吸引圧により、区域（Ａ）の右側側壁に設けられた減湿側吸込口１５１から区域（Ａ）内に吸引される。そして、通気口１５２から区域（Ｂ）に流入し、デシカントロータ１４８を通過した後に、区域（Ｇ）内の顕熱交換器１５０を通過し、通気口１５３から区域（Ｆ）に流入する。最後に、減湿側ファン１４６を通って給気口１５４から室内に吹き出される。
【００１７】
一方、室内空気ＲＡは、加湿側ファン１４７により誘起される吸引圧により、区域（Ｃ）の左側側壁に設けられた加湿側吸込口１５５から区域（Ｃ）内に吸引される。そして、通気口１５６から区域（Ｇ）に流入し、区域（Ｇ）内の顕熱交換器１５０を通過し、区域（Ｅ）内のヒータ１４９及びデシカントロータ１４８を通過した後に、通気口１５７から区域（Ｄ）に流入する。そして、排気口１５８から室内に吹き出される。
【００１８】
このデシカント空調機１４０は、減湿側ファン１４６及び加湿側ファン１４７と、デシカントロータ１４８及び顕熱交換器１５０がケーシング１４１内に縦列されているが、デシカントロータ１４８及び顕熱交換器１５０が上下方向に積み重ねて収容されているため、ケーシング１４１の形状は方形に近い形状となる。しかし、デシカントロータ１４８及び顕熱交換器１５０が積み重ねられている分だけ厚みが増す。
【特許文献１】特開２０００−３４６４００号公報
【特許文献２】特開２００３−２２７６３０号公報
【非特許文献１】社団法人空気調和・衛生工学会編，「空気調和・衛生工学便覧」，第１３版，社団法人空気調和・衛生工学会，２００１年１１月３０日，pp.451-452
【非特許文献２】桑原哲，平岡貢，大塚則男，“加湿と除湿(6)  除湿の応用―デシカント空調”，［online］，２００２年９月３日，社団法人空気調和・衛生工学会，［平成１８年８月８日検索］，＜http://www.shasej.org/gakkaishi/0211/0211-koza-01.html＞
【発明の開示】
【発明が解決しようとする課題】
【００１９】
デシカント空調機を、一般家庭の天井部やオフィスの天井部に設置する場合、天井に設けられている設置口に機器を入れて設置する。そして、一般に、天井に設けられた設置口は、正方形状のものが多い。
【００２０】
一方、上記特許文献１に記載のデシカント空調機は、減湿側ファン１３５及び加湿側ファン１３７と、デシカントロータ１３１と、顕熱交換器１３４とがケーシング１２１内に縦列されているため、ケーシングが縦長の形状となる。従って、天井板裏側の狭い空間に設置口からデシカント空調機を挿入するのが困難な場合が多いという問題がある。
【００２１】
また、上記特許文献２に記載のデシカント空調機は、デシカントロータ１４８及び顕熱交換器１５０を積み重ねてケーシング内に収容しているため、ケーシングの厚みが大きくなる。そのため、天井板裏側の狭い空間に設置口からデシカント空調機を挿入するのが困難な場合が多いという問題がある。
【００２２】
そこで、本発明の目的は、ケーシング形状をコンパクトに構成することが可能なデシカント空調機を提供することにある。
【課題を解決するための手段】
【００２３】
本発明に係るデシカント空調機の第１の構成は、減湿側空気が流れる減湿側流路、及び加湿側空気が流れる加湿側流路が形成された平面視で方形状乃至矩形状のケーシングと、前記減湿側流路及び前記加湿側流路の両方を横断するように配設され、前記減湿側空気中からの吸湿と前記加湿側空気への放湿とを行うデシカントロータと、前記減湿側流路及び前記加湿側流路の中途に設けられ、内部で減湿側流路と加湿側流路とが交差するとともに、前記減湿側空気と前記加湿側空気との間で熱交換を行う顕熱交換器と、前記減湿側流路内の減湿側空気を流通させる減湿側ファンと、前記加湿側流路内の加湿側空気を流通させる加湿側ファンと、を備えたデシカント空調機において、前記減湿側流路の吸気口は、前記ケーシングの一方の角部（Ｃ１）近傍の一側面（Ｓ１）に形成され、前記減湿側流路の排気口は、前記角部（Ｃ１）と対角位置にある角部（Ｃ２）近傍の前記側面（Ｓ１）に対向する側面（Ｓ２）に形成されており、前記加湿側流路の吸気口は、前記側面（Ｓ２）の前記角部（Ｃ２）と反対側の角部（Ｃ３）近傍に形成され、前記加湿側流路の排気口は、前記側面（Ｓ１）の前記角部（Ｃ１）と反対側の角部（Ｃ４）近傍に形成されており、前記ケーシング内部を、前記角部（Ｃ１）及び前記角部（Ｃ３）の側の第一区画と、前記角部（Ｃ２）及び前記角部（Ｃ４）の側の第二区画とに気密状態に区画する区画壁を備え、前記デシカントロータ及び前記顕熱交換器は、前記減湿側流路の吸気口側から前記加湿側流路の吸気口側に向かって、この順で前記第一区画内に並べて収納されており、前記減湿側ファン及び前記加湿側ファンは、前記減湿側流路の排気口側から前記加湿側流路の排気口側に向かって、この順で前記第二区画内に並べて収納されており、前記減湿側ファンの吸入口は前記区画壁を貫通して前記第一区画に連通し、吐出口は前記減湿側流路の排気口に接続されており、前記加湿側ファンの吸入口は前記区画壁を貫通して前記第一区画に連通し、吐出口は前記加湿側流路の排気口に接続されていることを特徴とする。
【００２４】
この構成によれば、デシカントロータ及び顕熱交換器を第一区画に並べて配設し、減湿側ファン及び加湿側ファンを第二区画に並べて配設することで、各構成部品がケーシング内に平面的に配置されるとともに、ケーシングの平面形状を方形に近い形状とすることが可能となる。従って、ケーシングが薄型でコンパクトとなり、天井へのケーシングの設置が容易となる。
【００２５】
本発明に係るデシカント空調機の第２の構成は、前記第１の構成において、前記第一区画内には、前記加湿側流路の前記顕熱交換器の出口に再生用ヒータが配設されており、前記再生用ヒータに接続され、給熱用の熱媒が循環する一対の再生用ヒータ接続管と、前記区画壁の両側が気密となるようにシールした状態で前記区画壁を貫通して固定され、前記各接続管と接続された一対の内部ジョイントと、前記第二区画のケーシング側壁に設置された一対の外部ジョイントと、一方の前記内部ジョイントと一方の外部ジョイント、及び他方の前記内部ジョイントと他方の外部ジョイントとに接続されており、給熱用の熱媒が循環する一対の第二区画内接続管と、を備えたことを特徴とする。
【００２６】
このように、再生用ヒータに熱媒を循環させる配管をデシカント空調機に接続するための外部ジョイントを負圧にならない第二区画のケーシング側壁に設置したことにより、第一区画から直接配管を引き出す場合に比べて、外部ジョイントの部分からケーシング内に漏れ入る空気を減らし、除湿効果を高めることができる。
【００２７】
ここで、「熱媒」とは、ヒータの暖房サイクルの動作流体をいい、例えば、温水，不凍液、油などが用いられる。
【００２８】
本発明に係るデシカント空調機の第３の構成は、前記第１又は第２の構成において、前記第一区画内には、前記減湿側流路の前記デシカントロータの入口側に、調温用ヒータが配設されており、前記調温用ヒータに接続され、給熱用の熱媒が循環する一対の調温用ヒータ接続管と、前記区画壁の両側が気密となるようにシールした状態で前記区画壁を貫通して固定され、前記各接続管と接続された一対の内部ジョイントと、前記第二区画のケーシング側壁に設置された一対の外部ジョイントと、一方の前記内部ジョイントと一方の外部ジョイント、及び他方の前記内部ジョイントと他方の外部ジョイントとに接続されており、給熱用の熱媒が循環する一対の第二区画内接続管と、を備えたことを特徴とする。
【００２９】
このように、調温用ヒータに熱媒を循環させる配管をデシカント空調機に接続するための外部ジョイントを負圧にならない第二区画のケーシング側壁に設置したことにより、第一区画から直接配管を引き出す場合に比べて、外部ジョイントの部分からケーシング内に漏れ入る空気を減らし、除湿効果を高めることができる。
【００３０】
本発明に係るデシカント空調機の第４の構成は、前記第２又は３の構成において、前記内部ジョイントに、熱動弁が用いられていることを特徴とする。
【００３１】
このように、熱動弁を区画壁に固定された内部ジョイントとして兼用することで、構成を簡単にすることができ、部品点数を減らすことができる。
【００３２】
本発明に係るデシカント空調機の第５の構成は、前記第１乃至第４の構成において、前記デシカントロータを回転駆動する駆動モータを備え、前記駆動モータは、前記減湿側流路の吸気口から前記デシカントロータにかけての前記減湿側流路内の何れかの場所に設置されていることを特徴とする。
【００３３】
このように、駆動モータを減湿側流路の吸気口からデシカントロータにかけての減湿側流路内の何れかの場所に設置することで、駆動モータには低温の外気流に曝されるので冷却される。従って、加熱により駆動モータが故障することを防止できる。
【発明の効果】
【００３４】
以上のように、本発明によれば、デシカントロータ及び顕熱交換器を第一区画に並べて配設し、減湿側ファン及び加湿側ファンを第二区画に並べて配設することで、ケーシングの厚みを小さくし、ケーシングの平面視形状を方形に近い形状とすることが可能となる。従って、ケーシングがコンパクトとなり、天井裏へのケーシングの設置が容易となる。
【００３５】
また、再生用ヒータ又は調温用ヒータに熱媒を循環させる配管をデシカント空調機に接続するための外部ジョイントを負圧にならない第二区画のケーシング側壁に設置することで、外部ジョイントの部分からケーシング内に漏れ入る空気を減らし、除湿効果を高めることができる。
【発明を実施するための最良の形態】
【００３６】
以下、本発明を実施するための最良の形態について、図面を参照しながら説明する。
【実施例１】
【００３７】
図１は、本発明の実施例１に係るデシカント空調機１の平面図である。図２は、図１のデシカント空調機１における減湿側空気及び加湿側空気の流れを表す図である。デシカント空調機１は、平面形状はほぼ方形状のケーシング２を備えている。ケーシング２内には、減湿側空気が流れる減湿側流路と加湿側空気が流れる加湿側流路が形成されている。
【００３８】
ケーシング２の一方の角部（Ｃ１）近傍の側面（Ｓ１）に減湿側流路の吸気口３が形成されている。角部（Ｃ１）と対角位置にある角部（Ｃ２）近傍の、側面（Ｓ１）に対向する側面（Ｓ２）には、減湿側流路の排気口４が形成されている。
【００３９】
側面（Ｓ２）の角部（Ｃ２）と反対側の角部（Ｃ３）近傍には加湿側流路の吸気口５が形成されている。側面（Ｓ１）の角部（Ｃ１）と反対側の角部（Ｃ４）近傍には加湿側流路の排気口６が形成されている。
【００４０】
また、以下の説明において、角部（Ｃ１）から角部（Ｃ３）の間の側面を側面（Ｓ３）、角部（Ｃ２）から角部（Ｃ４）の間の側面を側面（Ｓ４）とよぶ。
【００４１】
ケーシング２内部には、ケーシング２内部を２つの領域に区画する区画壁７が設けられている。区画壁７は、側面（Ｓ１，Ｓ２）に垂直に、側面（Ｓ１，Ｓ２）の中央付近に配設されている。以下、この区画壁７に対して角部（Ｃ１，Ｃ３）の側の領域を第一区画、角部（Ｃ２，Ｃ４）の側の領域を第二区画と呼ぶ。第一区画と第二区画とは、区画壁７により減湿側ファン１５，加湿側ファン１６の吸込部を除き気密状態とされている。
【００４２】
第一区画内には、デシカントロータ８，顕熱交換器９，再生用ヒータ１０，調温用ヒータ１１，駆動モータ１２が収容されている。
【００４３】
デシカントロータ８は、シリカゲルやゼオライト粉末等の乾燥剤（デシカント）が担持されたハニカム構造のロータであり、減湿側空気中からの吸湿と前記加湿側空気への放湿とを行う。顕熱交換器９は、内部で減湿側流路と加湿側流路とが交差したクロスフロー型の静止型熱交換器であり、減湿側空気と加湿側空気との間で熱交換を行う。顕熱交換器９は、平面視が方形状に形成されている。
【００４４】
第一区画の内部は、側面（Ｓ１）からデシカントロータ８の中央までを区画する区画壁１３、及びデシカントロータ８の中央から顕熱交換器９までを区画する区画壁１４により、減湿側流路と加湿側流路とに区画されている。区画壁１３，１４に対して側面Ｓ３の側が減湿側流路、区画壁７の側が加湿側流路となっている。以下、デシカントロータ８の減湿側流路の側を吸湿領域、加湿側流路の側を再生領域と呼ぶ。
【００４５】
顕熱交換器９の内部では、減湿側流路と加湿側流路とは交叉しており、減湿側流路は顕熱交換器９の側面（Ｓ１１）から側面（Ｓ１２）に連通し、加湿側流路は顕熱交換器９の側面（Ｓ１３）から側面（Ｓ１４）に連通している。
【００４６】
再生用ヒータ１０は、顕熱交換器の側面（Ｓ１４）の加湿側流路出口に配設された温水ヒータである。また、調温用ヒータ１１は、吸気口３からデシカントロータ８にかけての減湿側流路内に配設された温水ヒータである。
【００４７】
駆動モータ１２は、デシカントロータ８をゆっくりと一定速度で回転駆動するモータであり、デシカントロータ８の側方の吸気口３側の減湿側流路内に配設されている。
【００４８】
一方、第二区画内には、減湿側流路の排気口４側から加湿側流路の排気口６側に向かって、減湿側ファン１５，加湿側ファン１６が収容されている。
【００４９】
減湿側ファン１５は、減湿側流路内の減湿側空気を流通させるファンである。減湿側ファン１５の吸入口は区画壁７を貫通して、顕熱交換器９の減湿側流路出口付近の第一区画に連通し、吐出口は減湿側流路の排気口４に接続されている。
【００５０】
加湿側ファン１６は、加湿側流路内の加湿側空気を流通させるファンである。加湿側ファン１６の吸入口は区画壁７を貫通して、デシカントロータ８の加湿側流路出口付近の第一区画に連通し、吐出口は加湿側流路の排気口６に接続されている。
【００５１】
区画壁７には、区画壁７の両側が気密となるようにシールした状態で区画壁７を貫通してジョイント１７，１９及び熱動弁１８，２０が固設されている。また、第二区画側のケーシング２の側面（Ｓ２）には、ジョイント２１，２２が固設されている。ジョイント２１と熱動弁１８，ジョイント１９は、第二区画内接続管２５，２４により接続されている。ジョイント２２とジョイント１７，熱動弁２０は、第二区画内接続管２３，２６により接続されている。また、ジョイント１７と再生用ヒータ１０とは、再生用ヒータ接続管２７で接続され、熱動弁１８と再生用ヒータ１０とは再生用ヒータ接続管２８で接続されている。ジョイント１９と調温用ヒータ１１とは、調温用ヒータ接続管２９で接続されており、熱動弁２０と調温用ヒータ１１とは、調温用ヒータ接続管３０で接続されている。
【００５２】
再生用ヒータ１０及び調温用ヒータ１１に温水を循環させる配管は、ジョイント２１，２２に接続される。温水は、ジョイント２１→第二区画内接続管２５→熱動弁１８→再生用ヒータ接続管２８→再生用ヒータ１０→再生用ヒータ接続管２７→ジョイント１７→第二区画内接続管２３→ジョイント２２の順に循環し、または、ジョイント２１→第二区画内接続管２４→ジョイント１９→調温用ヒータ接続管２９→調温用ヒータ１１→調温用ヒータ接続管３０→熱動弁２０→第二区画内接続管２６→ジョイント２２の順に循環する。これにより、再生用ヒータ１０又は調温用ヒータ１１への給熱がなされる。
【００５３】
熱動弁１８は、通電することにより開弁する。熱動弁１８が開弁すると、温水回路が開き、再生用ヒータ１０に温水が流れる。これにより、顕熱交換器９を通過した空気は加熱され、この加熱された空気がデシカントロータ８を通過することによって、デシカントロータ８に吸着している水分が脱離される。
【００５４】
また、熱動弁２０も通電することにより開弁する。熱動弁２０が開弁すると、温水回路が開き、調温用ヒータ１１に温水が流れる。これにより、吸気口３から流入する空気は加熱され、この加熱された空気がデシカントロータ８を通過することによって、デシカントロータ８に吸着している水分が脱離される。
【００５５】
デシカント空調機１を加湿、除湿運転する際は、熱動弁１８を開く。これにより上述のように、顕熱交換器９を通過した空気は加熱され、この加熱された空気がデシカントロータ８を通過することによりデシカントロータ８に吸着された水分が脱離される。吸気口５が室外側、排気口６が室内側となったとき室内は加湿され、吸気口５が室内側、排気口６が室外側となったときは、室内は除湿されることになる。尚、熱動弁２０はデシカントロータ８に吸着された臭い成分を含んだ湿気をデシカントロータ８から脱離させデシカントロータ８を洗浄するときに開弁する。
【００５６】
以上のように、デシカントロータ８及び顕熱交換器９を第一区画に並べて配設し、減湿側ファン１５及び加湿側ファン１６を第二区画に並べて配設することで、各構成部品がケーシング２内に平面的に配置され、ケーシング２の平面形状を方形に近い形状とすることが可能となる。従って、ケーシング２が薄型でコンパクトとなり、天井裏へのデシカント空調機１の設置が容易となる。
【００５７】
また、運転状態においては、減湿側ファン１５及び加湿側ファン１６の吸引により、第一区画内は負圧状態となる。従って、除湿効率を向上させるためには、第一区画内は、減湿側流路の出入口及び加湿側流路の出入口以外は、できるだけ気密状態とする必要がある。そこで、再生用ヒータ１０及び調温用ヒータ１１に温水を循環させる配管のジョイント２１，２２を、第二区画のケーシング２の側壁（Ｓ２）に設置した。これにより、第一区画から直接配管を引き出す場合に比べて、ジョイント２１，２２の部分からケーシング２内に漏れ入る空気を減らし、除湿効果を高めることができる。
【００５８】
さらに、駆動モータ１２を減湿側流路の吸気口３からデシカントロータ８にかけての減湿側流路内に設置することで、駆動モータ１２には低温の外気流に曝されるので冷却される。従って、加熱により駆動モータ１２が故障することを防止できる。
【図面の簡単な説明】
【００５９】
【図１】本発明の実施例１に係るデシカント空調機１の平面図である。
【図２】図１のデシカント空調機１における減湿側空気及び加湿側空気の流れを表す図である
【図３】デシカント空調機の内部構造の概念図である。
【図４】特許文献１に記載のデシカント空調機１２０の内部構造を示す正面図である。
【図５】特許文献２に記載のデシカント空調機１４０の内部構造を示す斜視図である。
【符号の説明】
【００６０】
１  デシカント空調機
２  ケーシング
３，５  吸気口
４，６  排気口
７，１３，１４  区画壁
８  デシカントロータ
９  顕熱交換器
１０  再生用ヒータ
１１  調温用ヒータ
１２  駆動モータ
１５  減湿側ファン
１６  加湿側ファン
１７，１９，２１，２２  ジョイント
１８，２０  熱動弁
２３，２４，２５，２６  第二区画内接続管
２７，２８  再生用ヒータ接続管
２９，３０  調温用ヒータ接続管
【図１】
2008101848.tif 000003
【図２】
2008101848.tif 000004
【図３】
2008101848.tif 000005
【図４】
2008101848.tif 000006
【図５】
2008101848.tif 000007